(57)【特許請求の範囲】
【請求項１】
浴室の洗い場壁面に支持されるとともに、下部に、前後方向に移動するか、又は、その下部側を中心にその上部側が前後方向に回動することにより開閉される、上向き開放の物品収納体を備えた浴室の洗い場カウンターにおいて、
上記物品収納体に、洗い場の床面との間に足入空間を残すように形成され、水平な底部を有する前部収納部と、この前部収納部の後方に、この前部収納部と一体的に形成されるとともに、上記前部収納部よりも上記床面側に向かって下方に延びるように形成され、かつ、後面側がカゴ状に形成されている後部収納部とを設けていることを特徴とする浴室の洗い場カウンター。
【請求項２】
前記前部収納部の下面側に、前記物品収納体を開閉するための把手部が形成されていることを特徴とする請求項１記載の浴室の洗い場カウンター。
【発明の詳細な説明】
【０００１】
【発明の属する技術分野】
この発明は、浴室の洗い場カウンターに関するものであり、更に詳しくは、浴室の洗い場壁面に支持されるとともに、下部に、前後方向に移動するか、又は、上部側が前後方向に回動することにより開閉される、物品収納体を備えた浴室の洗い場カウンターに関するものである。
【０００２】
【従来の技術】
図６及び図７は特開平１ー３１４５２０号公報に記載された、浴室の洗い場カウンターの一例を示している。この洗い場カウンター１００は、浴室の洗い場壁面Ｗに取り付けられ、カウンター本体１０１の上面が入浴時に小物を置くカウンター面１０１ａとなっているとともに、カウンター本体１０１の下部に、このカウンター面１０１ａ上の小物を収納する物品収納体１０２が取り付けられている。この物品収納体１０２は、後端下部がカウンター本体１０１に回動自在に支持されていて、上部側を前後に回動させることにより、その開閉がなされる。なお、物品収納体１０２上方のカウンター本体１０１には、棚部１０１ｂが形成されている。
【０００３】
入浴者は、浴室の洗い場Ａにおいて、腰掛（図示せず）を使用して、洗い場カウンター１００に向かって座り、体を洗ったり、洗顔や洗髪を行なう。この場合、洗い場カウンター１００の下方には、洗い場Ａの床面Ｆとの間に、足入空間Ｖが形成されているため、入浴者は、足先をこの足入空間Ｖに入れた楽な姿勢で、腰掛を介して、この洗い場カウンター１００近くに座ることができる。このため、入浴者は、カウンター面１０１ａ上の小物を容易に手に取ることができるとともに、壁面Ｗ側の鏡１１０もよく見ることができる。
【０００４】
【発明が解決しようとする課題】
しかしながら、上記従来の洗い場カウンターでは、物品収納体１０２の高さ（丈）が小さいため、この物品収納体１０２中に比較的丈の高い収納物、例えば、浴室清掃用の洗剤等が収納できないという問題があった。
【０００５】
このため、カウンター本体１０１の棚部１０１ｂをなくし、このカウンター本体１０１に丈の高い物品収納体を取り付けることも考えられるが、このことにより、物品収納体が深くなり、この物品収納体に対して、石鹸等の小物の出し入れが容易でないという問題が生じる。この場合、物品収納体中に棚を設け、小物の取り出しを容易にすることも考えられるが、こうすると、物品収納体中の、この棚の下方空間が使いずらいという問題が生じる。
【０００６】
また、洗い場カウンタ−に、丈の高い物品収納体と丈の低い物品収納体とを設けることも考えられるが、こうすると、洗い場カウンタ−の構成が複雑となり、この洗い場カウンタ−が高コストなものになってしまうという問題が生じる。
【０００７】
一方、床面Ｆからカウンタ−面１０１ａまでの距離には限度があり、かつ、洗い場カウンタ−１００の下方には、足入空間Ｖが必要なため、このような洗い場カウンタ−１００では、内部に収納できる収納物の高さにも限度が生じ、この限度を越えた収納物は収納できないという問題もあった。
【０００８】
この発明は、以上の点に鑑み、下方に足入空間を設けた場合でも、物品収納体中に、充分に丈の高い収納物が収納できるとともに、小物も取り出しやすく収納でき、かつ、物品収納体中に使いずらい空間をつくることもない、簡単な構成の浴室の洗い場カウンターを提供することを目的とする。
【０００９】
【課題を解決するための手段】
この発明の請求項１記載の発明は、浴室の洗い場壁面に支持されるとともに、下部に、前後方向に移動するか、又は、その下部側を中心にその上部側が前後方向に回動することにより開閉される、上向き開放の物品収納体を備えた浴室の洗い場カウンターにおいて、物品収納体に、洗い場の床面との間に足入空間を残すように形成され、水平な底部を有する前部収納部と、この前部収納部の後方に、この前部収納部と一体的に形成されるとともに、上記前部収納部よりも床面側に向かって下方に延びるように形成され、かつ、後面側がカゴ状に形成されている後部収納部とを設けていることである。
【００１０】
この発明では、下方に足入空間を残して比較的浅く形成される物品収納体の前部収納部に、入浴時の小物を取り出し易く収納できるとともに、前部収納部の後方にこれと一体的に形成される物品収納体の後部収納部に、浴室用洗剤のような丈の高い収納物を収納できる。特に、後部収納部は、前部収納部によって足入空間が確保されるため、下部を床面近くまで延ばすことができ、内部に充分に丈の高い収納物を収納できる。
【００１１】
この発明の請求項２記載の発明は、請求項１記載の発明の場合において、前部収納部の下面側に、物品収納体を開閉するための把手部が形成されていることである。
【００１２】
この発明では、物品収納体を開く場合には、足入空間から手を入れて、把手部を前方に引けばよく、物品収納体を閉じる場合には、前部収納部を後方に押せばよいため、物品収納体の開閉を楽に行なうことができる。また、この発明では、把手部を外部から見えにくい位置に配置できる。
【００１３】
【発明の実施の形態】
以下、この発明の実施の形態を図面を参照しつつ説明する。
図１はこの発明の一実施の形態に係る洗い場カウンタ−が備えられた浴室の外観を示している。
【００１４】
浴室内には、図１で示されるように、左方に浴槽１が設置され、右方に洗い場Ａが形成されている。この洗い場Ａの壁面Ｗには、下部に、洗い場カウンター２が取り付けられ、この洗い場カウンター２の上方に、水栓３、シャワーセット４、壁鏡５、及び小物棚６が取り付けられている。そして、洗い場Ａの床面Ｆ上には、洗い場カウンター２の前方に腰掛Ｙが置かれている。
【００１５】
洗い場カウンター２は、図１で示されるように、入浴者が腰掛Ｙに座った状態で、洗体や、洗顔及び洗髪等を楽に行なうことができるように設けられたものであり、下方の床面Ｆとの間に、足入空間Ｖを残した状態で、壁面Ｗに取り付けられている。この洗い場カウンター２は、壁面Ｗに取り付けられたカウンタ−本体７と、このカウンタ−本体７の右部側下方に取り付けられた収納用キャビネット８とから構成されている。
【００１６】
カウンタ−本体７は、板状体の後部側が一段高くなるように形成されたものであり、前部側上面に洗面器等を載置する主カウンタ−面Ｄ１が形成され、後部側の一段高い上面に、入浴時の小物（石鹸やスポンジ）等を置く副カウンタ−面Ｄ２が形成されている。そして、カウンタ−本体７の主カウンタ−面Ｄ１側には、洗面器からの排水を下方に排出する排水部７ａが形成されている。
【００１７】
収納用キャビネット８は、浴室内を清掃する洗剤や、入浴時の小物等を収納するものであり、図５で示されるように、外ケース１０と、扉２０と、カゴ状収納部３０と、ガイドロッド４０とから構成されている。
【００１８】
外ケース１０は、図２で示されるように、略帯状の薄いステンレス板をコの字形に曲げた本体部１１の下部側自由端側を、ステンレス製の棒部材１２で連結したものであり、カウンター本体７の裏面側に、上端側がネジ等によって取り付けられている。この場合、外ケース１０は、腰掛Ｙに座った入浴者が足先を指し込む足入空間Ｖを確保すべく、カウンター本体７の前後方向の中程に取り付けられている。
【００１９】
扉２０は、図２で示されるように、外ケース１０の前面側開口を覆うものであり、下部側が外ケース１０の棒部材１２に回動自在に支持されて、上部側が前後方向に回動できるようになっている。この扉２０は、樹脂材によって一体的に形成されたものであり、前部２１ａ、水平部２１ｂ、後部２１ｃから階段状に形成された前板部２１と、この前板部２１の左右両側端側に、上方側と後方側とに突出するように形成された、前部側縁部２２ａと後部側縁部２２ｂとからなる側縁部２２とから構成されている。前板部２１の前部２１ａは、前方に突出する水平部２１ｂの前端側に、カウンター本体７の前壁の位置と略一致するように形成され、前板部２１の後部２１ｃは、水平部２１ｂの後端側に、外ケース１０の中程から下部側の前面側開口を覆うように形成されている。
【００２０】
そして、この扉２０には、前板部２１の前部２１ａ及び水平部２１ｂと、この水平部２１ｂに沿って水平に設けられた前部側縁部２２とで、カウンター本体７の前部側下方に、前部収納部Ｓ１が形成されている。この場合、この前部収納部Ｓ１は、カウンター本体７の前部側に沿うように配置され、かつ、前板部２１の前部２１ａが、後部２１ｃに比べて充分に低く形成されているので、この前部収納部Ｓ１と床面Ｆとの間には、足入空間Ｖが充分に確保されている。
【００２１】
前板部２１の後部２１ｃに沿って略垂直に形成された、側縁部２２の後部側縁部２２ｂには、幅が上向きに漸次小さくなるガイド孔Ｈ１が、この後部側縁部２２ｂに沿って上下に長く形成されている。また、この後部側縁部２２ｂには、このガイド孔Ｈ１に沿って細い長孔Ｈ２が形成され、この長孔Ｈ２とガイド孔Ｈ１間に、容易に弾性変形して、ガイド孔Ｈ１の幅サイズを大きくできる弾性部Ｑ１が形成されている。さらに、この後部側縁部２２ｂには、下部に、外ケース１０の棒部材１２に嵌まり込む凹部Ｐ１が下端側を切り欠くようにして形成されているとともに、図２で示されるように、中間部に、ロックピンＱ２が外方に突出するように形成されている。
【００２２】
また、前部収納部Ｓ１の底部、すなわち、前板部２１の水平部２１ｂには、図４で示されるように、扉２０を回動して物品収納体５０（後述）を開閉するための把手孔Ｋ１や、水切りを行なう水切孔Ｋ２が形成されているとともに、収納物の取り出しを容易にする突起部Ｌが形成されている。
【００２３】
カゴ状収納部３０は、扉２０と一体となって物品収納体５０を形成し、扉２０の後方に、丈の高い収納物用の後部収納部Ｓ２を形成するものである。このカゴ状収納部３０は、図５等で示されるように、ステンレス製の針金によって形成されており、上面側と前面側とが開放された形状をしている。このカゴ状収納部３０は、図４で示されるように、上かぎ部３１が扉２０の水平部２１ｂの凹部Ｐ２に差し込まれ、かつ、下かぎ部３２が、扉２０の後部２１ｃ下端に、支持部材ＭとネジＮとによって挟着されて、扉２０に取り付けられている。すなわち、カゴ状収納部３０は、前部収納部Ｓ１の後方に、この前部収納部Ｓ１よりも下方の床面Ｆ側に延びるように後部収納部Ｓ２を形成している。この場合、後部収納部Ｓ２の上方は、カウンタ−本体７の下面側まで空いているため、この後部収納部Ｓ２中には充分に丈の高い収納物を収納できる。
【００２４】
物品収納体５０は、図２の鎖線で示されるように、扉２０の上部側が所定量だけ前方側に回動することにより、前部収納部Ｓ１が下向き前方に移動してカウンター本体７から離れるとともに、カゴ状収納部３０の上部側が外ケース１０から外方に出ることにより、この前部及び後部収納部Ｓ１，Ｓ２が開けられる。また、この物品収納体５０は、図２の実線で示されるように、扉２０の上部側を後方に回動することにより、前部収納部Ｓ１側がカウンター本体７の下面側に移動するとともに、カゴ状収納部３０が外ケース１０内に移動することにより、前部及び後部収納部Ｓ１，Ｓ２が閉じられる。なお、説明の都合上、物品収納体５０が、充分に開けられた図２の鎖線の位置にある場合を開位置イにあると言い、閉じられた図２の実線の位置にある場合を閉位置ロにあると言う。
【００２５】
ガイドロッド４０は、一端側が外ケース１０の内面側に支持ピン１１ａを介して回動自在に支持されているとともに、他端側に、扉２０のガイド孔Ｈ１に沿って移動するピン部４１が設けられている。そして、このガイドロッド４０には、上部側に、物品収納体５０が閉位置ロに閉じられたり、この閉位置ロから開けられる場合に、扉２０側のロックピンＱ２に、弾性変形して係脱するフック部４２が形成されている。また、ガイドロッド４０には、支持ピン１１ａ側に切欠部Ｒが形成されていて、物品収納体５０が開位置イにある場合に、この物品収納体５０に所定値以上の下向き外力が作用すると、ガイドロッド４０が支持ピン１１ａから外れるようになっている。
【００２６】
つぎに、収納用キャビネット８を中心としたこの洗い場カウンタ−２の作用について説明する。
入浴者は、洗い場カウンター２に対面するように腰掛Ｙに座る。この場合、入浴者は洗い場カウンター２下方の足入空間Ｖに足先を入れることができるため、この洗い場カウンター２に充分に近づいた状態で、腰掛Ｙに楽に座ることができる。
【００２７】
つぎに、収納用キャビネット８の扉２０側の把手孔Ｋ１に手を差し込み、扉２０を前方にやや強く引いて物品収納体５０を開ける。このことにより、ロックピンＱ２がフック部４２から離脱するとともに、扉２０の上部側が外ケース１０の棒部材１２を中心に前方に回動して、ガイドロッド４０のピン部４１が扉２０のガイド孔Ｈ１に沿って移動するため、物品収納体５０が開けられる。この場合、扉２０のガイド孔Ｈ１中を、幅の小さくなる方に向かって移動するガイドロッド４０のピン部４１が、弾性部Ｑ１を弾性変形させつつ移動するため、物品収納体５０は、開位置イまで除々に開いていく。
【００２８】
物品収納体５０が開位置イに開くと、前部収納部Ｓ１がカウンター本体７より、前方側に突出した状態となるため、入浴者は、前部収納部Ｓ１内に収納されているスポンジや石鹸等をここから取り出して、カウンター本体７の副カウンター面Ｄ２上に置く。また、この場合、後部収納部Ｓ２が、外ケース１０から前方に突出し、カウンター本体７下方で、開口部を前方に向けた状態となるため、入浴者は、後部収納部Ｓ２内に収納されているシャンプーボトルやリンスボトルをここから取り出して、副カウンター面Ｄ２上に置く。そして、入浴者は、カウンター本体７の主カウンターＤ１上に洗面器や副カウンター面上Ｄ２の石鹸等を利用して、洗体や、洗顔及び洗髪を行なう。
【００２９】
物品収納体５０中から必要なものを取り出した後は、扉２０の上部を後方に押すことにより、物品収納体５０を閉じる。すなわち、ガイドロッド４０のピン部４１がガイド孔Ｈ１に沿って移動し、最終的に、ロックピンＱ２が、フック部４２に当たってこれを弾性変形させ、このフック部４２に係合することにより、物品収納体５０は閉位置ロに位置決めされる。また、開位置イにある物品収納体５０に一定値以上の下向き力が作用すると、ガイドロッド４０の一端側が切欠部Ｒを介して、支持ピン１１ａから外れ、この物品収納体５０が破損するのが防止される。
【００３０】
なお、開位置イにある物品収納体５０に所定の下向き力を加えて、ガイドロッド４０を支持ピン１１ａから外した後、扉２０を上向きに引上げれば、物品収納体５０とガイドロッド４０とを外ケース１０から取り外すことができる。このため、物品収納体５０の清掃等も容易に行なうことができる。
【００３１】
以上のように、この洗い場カウンター２では、下部に設けられた１つの物品収納体５０に、比較的浅い前部収納部Ｓ１と、この前部収納部Ｓ１の後方に深い後部収納部Ｓ２とを設けているため、１つの物品収納体５０中に、入浴時の小物を取り出し易く収納できるとともに、浴室用洗剤やシャンプーボトルといった丈の高い収納物も容易に収納できる。この場合、丈（高さ）の低い前部収納部Ｓ１をカウンタ−本体７の下面側に沿って設け、この前部収納部Ｓ１の下方にも、床面Ｆとの間に足入空間Ｖを形成しているため、入浴者は、洗い場カウンター２下方のどこにでも足先を延ばすことができ、この前部収納部Ｓ１下方の有効利用も図ることができる。
【００３２】
また、この洗い場カウンタ−２では、前部収納部Ｓ１の下方に足入空間Ｖが確保されるため、この前部収納部Ｓ１の後方に設けられる後部収納部Ｓ２を、床面Ｆからカウンター本体７の下面までの間のいずれの位置にも設けることができる。このため、この後部収納部Ｓ２を充分に深く形成でき、この後部収納部Ｓ２中に充分に丈の高いものを収納できる。
【００３３】
さらに、この洗い場カウンタ−２では、丈（高さ）の低い前部収納部Ｓ１のみが、外部から見えるように、カウンタ−本体７の前部側に配置され、丈の高い後部収納部Ｓ２は外部からほとんど見えないため、外観がすっきりとし、この洗い場カウンタ−２の見栄えもよくすることができる。
【００３４】
また、この洗い場カウンター２では、前部収納部Ｓ１の下面側に把手孔Ｋ１を設け、物品収納体５０を開く場合には、足入空間Ｖから手を入れて、扉２０の把手孔Ｋ１周りを前方に引けばよく、物品収納体５０を閉じる場合には、前部収納部Ｓ１を後方に押せばよいため、物品収納体５０の開閉を容易に行なうことができる。この場合、把手孔Ｋ１が外部から見えないため、洗い場カウンタ−２の外観もすっきりしたものとなる。
【００３５】
また、この洗い場カウンタ−２では、前部収納部Ｓ１の底部に水切孔Ｋ２を設けているため、小物の水切りが充分になされ、内部にカビ等が生じてしまうことはないとともに、前部収納部Ｓ１の底部に突起部Ｌを設けているため、この前部収納部Ｓ１からの小物の取り出しも容易である。
【００３６】
なお、この洗い場カウンター２では、物品収納体５０を回動させることにより、前部及び後部収納部Ｓ１，Ｓ２を開閉するようにしたが、引出しのように、この物品収納体５０を前後に移動させることにより、これらを開閉するようにしても、同様の効果を得ることができる。
【００３７】
【発明の効果】
この発明は、以下に記載されるような効果を奏する。
【００３８】
この発明の請求項１記載の発明によれば、浴室の洗い場壁面に支持されるとともに、下部に、前後方向に移動するか、又は、その下部側を中心にその上部側が前後方向に回動することにより開閉される、上向き開放の物品収納体を備えた浴室の洗い場カウンターにおいて、物品収納体に、洗い場の床面との間に足入空間を残すように形成され、水平な底部を有する前部収納部と、この前部収納部の後方に、この前部収納部と一体的に形成されるとともに、前部収納部よりも床面側に向かって下方に延びるように形成され、かつ、後面側がカゴ状に形成されている後部収納部とを設けているので、下方に足入空間を設けた場合でも、物品収納体中に、充分に丈の高い収納物が収納できるとともに、小物も取り出しやすく収納できる。また、この発明では、物品収納体中に使いずらい空間をつくることもないとともに、全体の構成も簡単なものとすることができる。
【００３９】
この発明の請求項２記載の発明によれば、請求項１記載の発明の場合において、前部収納部の下面側に、物品収納体を開閉するための把手部が形成されているので、物品収納体の開閉が容易となるとともに、洗い場カウンタ−の外観もすっきりしたものとすることができる。
【図面の簡単な説明】
【図１】この発明の一実施の形態に係る洗い場カウンタ−を備えた浴室内の外観斜視図である。
【図２】洗い場カウンタ−の側断面図である。
【図３】物品収納体の後面図である。
【図４】物品収納体の扉側の断面図である。
【図５】物品収納体の開いた状態を示す斜視図である。
【図６】従来の洗い場カウンタ−を示す図である。
【図７】図６で示される洗い場カウンタ−の断面図である。
【符号の説明】
２    洗い場カウンタ−
５０    物品収納体
Ａ    洗い場
Ｆ    床面
Ｋ１  把手孔（把手部）
Ｓ１  前部収納部
Ｓ２  後部収納部
Ｖ    足入空間
【図１】
0003627443.tif 000002
【図２】
0003627443.tif 000003
【図３】
0003627443.tif 000004
【図４】
0003627443.tif 000005
【図５】
0003627443.tif 000006
【図６】
0003627443.tif 000007
【図７】
0003627443.tif 000008